(57)【要約】  【課題】  ステッピングモータを駆動源とする原稿搬送装置を備えたシートスルー方式の画像読取装置において、消費電力を抑えつつ、特定の駆動条件下で発生する原稿搬送速度の変動を低減して読取画像の劣化を防止する。  【解決手段】  原稿搬送用のステッピングモータの駆動条件（駆動電流と駆動周波数）が、原稿搬送速度の変動を発生するおそれのある条件（回転ムラ発生条件）に該当する場合であって（ステップＳ１０５：ＹＥＳ）、かつ、搬送中の原稿が、読取後ローラ突入区間もしくは分離ローラ離脱区間に位置する場合に（ステップＳ１０６：ＹＥＳまたはステップＳ１０７：ＹＥＳ）、ステッピングモータの駆動電流値を変更する（ステップＳ１０８）。【選択図】  図９
2006282329.tif 000002
【特許請求の範囲】
【請求項１】
ステッピングモータを駆動源とする原稿搬送手段により原稿を搬送しながらその画像を読み取る画像読取装置であって、  
原稿の読取条件を取得する搬送条件取得手段と、
取得した原稿の読取条件に基づき前記ステッピングモータを駆動するための駆動周波数と駆動電流の組み合わせを決定する決定手段と、
前記決定された駆動周波数と駆動電流の組み合わせが、原稿搬送速度の変動を発生するおそれのある駆動条件である場合に、原稿搬送時における負荷変動が生じる区間で前記決定された駆動電流を変更する駆動電流変更手段と
を備えたことを特徴とする画像読取装置。
【請求項２】
前記原稿の読取条件は、少なくとも原稿の副走査方向の読取倍率を含むことを特徴とする請求項１に記載の画像読取装置。
【請求項３】
前記原稿の読取条件は、さらに片面読取モードおよび両面読取モードを含むことを特徴とする請求項２記載の画像読取装置。
【請求項４】
前記原稿搬送速度の変動を発生するおそれのある駆動条件は、ステッピングモータの特性により、設定された駆動周波数における平均の回転速度Ｍと、当該平均の回転速度Ｍからの速度変動分の標準偏差σとの比をパーセンテージで表示した値をＫとした場合に（Ｋ＝（σ／Ｍ）×１００）、Ｋの値が、１．０％を超える場合であることを特徴とする請求項１から３のいずれかに記載の画像読取装置。
【請求項５】
前記原稿搬送手段は、原稿の読取位置の下流側に原稿搬送ローラを備え、前記負荷変動の生じる区間は、原稿の先端が前記原稿搬送ローラのニップ部に突入するタイミングを含むことを特徴とする請求項１から４のいずれかに記載の画像読取装置。
【請求項６】
前記原稿搬送手段は、原稿トレイに載置された原稿束を１枚ずつ分離して送り出す原稿分離ローラを備え、前記負荷変動の生じる区間は、原稿の後端が前記原稿分離ローラのニップ部から離脱するタイミングを含むことを特徴とする請求項１から５のいずれかに記載の画像読取装置。
【請求項７】
設定された各駆動電流に対して駆動周波数を変化させながら前記ステッピングモータを駆動し、当該ステッピングモータのコイルに実際に流れた電流を測定する測定手段と、
前記測定された電流に基づき、他の駆動周波数域と比べて電流波形が変化している駆動周波数を検出する検出手段と、
前記電流波形が変化している駆動周波数とそのときの設定された駆動電流を、原稿搬送速度の変動を発生するおそれのある駆動条件として記憶する記憶手段と
を備え、
前記駆動電流変更手段は、前記決定された駆動周波数と駆動電流の組み合わせが、前記記憶手段に記憶されている駆動条件に該当する場合に、稿搬送速度の変動を発生するおそれがあると判断し、前記原稿搬送時における負荷変動が生じる区間で前記決定された駆動電流を変更することを特徴とする請求項１から６のいずれかに記載の画像読取装置。
【発明の詳細な説明】
【技術分野】
【０００１】
本発明は、原稿を搬送しながらその画像を読み取る画像読取装置に関し、特に、その原稿搬送装置の改良に関する。
【背景技術】
【０００２】
近年、原稿の画像を読み取る画像読取装置として、原稿を搬送装置により読取位置に搬送させながら、その原稿画像を読み取る、いわゆるシートスルー方式の画像読取装置が普及している。
このようなシートスルー方式の画像読取装置において、副走査方向（原稿搬送方向）における読取倍率を大きくするときはその倍率に応じて搬送速度を遅くし、反対に読取倍率を小さくするときには、搬送速度を速くするように構成されている（以下、原稿の搬送速度を変更して副走査方向の読取画像を変倍することを「速度変倍」という。）。また、主走査方向の読取倍率については、読み取った画像データの主走査方向における画素数を補間によって増加し、あるいは間引きにっよって減少させることにより変倍している。
【０００３】
このような原稿搬送装置の動力源のモータとしては、高精度な回転速度の制御が可能なステッピングモータが使用されるのが一般的である。ステッピングモータは、駆動パルスの周波数（駆動周波数）が大きくなるとそれに応じて回転速度も早くなるが、これに伴ってパルス幅が狭くなるので、回転トルクが小さくなる。そこで、従来から回転速度の増加に伴い各駆動パルスにおける電流（駆動電流）を大きくすることにより原稿搬送装置の駆動に必要な回転トルクを得るようになっている。そして、この場合における駆動電流は、省電力及びモータの過熱防止の観点から、脱調しない程度のトルクを発生させるに必要な最低限の値に設定されているのが一般的である。
【特許文献１】特開平９−２３５０３９号公報
【特許文献２】特開平１１−１９６２２８号公報
【発明の開示】
【発明が解決しようとする課題】
【０００４】
ところが、速度変倍における読取倍率を変化させるべくステッピングモータの駆動周波数を変えると、特定の駆動電流と駆動周波数の組み合わせによっては、原稿搬送途中に速度変動が生じやすくなることが判明した。このように原稿搬送速度に変動が生じると、その読取画像の副走査方向において部分的な拡大・縮小率のばらつきが発生し、画像が劣化する。特にカラー原稿を読み取る場合には、わずかな搬送速度の変動が、色ずれとなって現れるため、画像の劣化が許容範囲を超える場合もある。
【０００５】
この問題を回避するため、例えば上記回転速度に応じて設定された駆動電流を一律に大きくして回転トルクに十分余裕を持たせればよいかも知れないが、そうすると消費電力が大きくなると共に、大量の原稿を連続して読み取る際に、ステッピングモータが過熱状態となり望ましくない。
本発明は、以上のような事情に鑑みてなされたものであって、できるだけ消費電力を抑えつつ、特定の駆動条件下で発生する原稿搬送速度の変動を防止して読取画像の劣化を回避することができる画像読取装置を提供することを目的とする。
【課題を解決するための手段】
【０００６】
上記目的を達成するため、本発明に係る画像読取装置は、ステッピングモータを駆動源とする原稿搬送手段により原稿を搬送しながらその画像を読み取る画像読取装置であって、原稿の読取条件を取得する搬送条件取得手段と、取得した原稿の読取条件に基づき前記ステッピングモータを駆動するための駆動周波数と駆動電流の組み合わせを決定する決定手段と、前記決定された駆動周波数と駆動電流の組み合わせが、原稿搬送速度の変動を発生するおそれのある駆動条件である場合に、原稿搬送時における負荷変動の生じるタイミングを含む所定の区間で前記決定された駆動電流を変更する駆動電流変更手段とを備えたことを特徴とする。
【０００７】
なお、本発明において「駆動電流を変更する」とは、直接、駆動電流を変更する場合のほか、印加する電圧を変更する場合も含められる。
ここで、前記原稿の読取条件は、少なくとも原稿の副走査方向の読取倍率を含み、また、さらには片面読取モードおよび両面読取モードを含んでもよい。
また、本発明は、前記原稿搬送速度の変動を発生するおそれのある駆動条件が、ステッピングモータの特性により、設定された駆動周波数における平均の回転速度Ｍと、当該平均の回転速度Ｍからの速度変動分の標準偏差σとの比をパーセンテージで表示した値をＫとした場合に（Ｋ＝（σ／Ｍ）×１００）、Ｋの値が、１．０％を超える場合であることを特徴とする。
【０００８】
さらに、本発明は、前記原稿搬送手段が、原稿の読取位置の下流側に原稿搬送ローラを備え、前記負荷変動の生じる区間は、原稿の先端が前記原稿搬送ローラのニップ部に突入するタイミングを含むことを特徴とする。
また、さらに本発明は、前記原稿搬送手段が、原稿トレイに載置された原稿束を１枚ずつ分離して送り出す原稿分離ローラを備え、前記負荷変動の生じる区間は、原稿の後端が前記原稿分離ローラのニップ部から離脱するタイミングを含むことを特徴とする。
【０００９】
また、本発明は、設定された各駆動電流に対して駆動周波数を変化させながら前記ステッピングモータを駆動し、当該ステッピングモータのコイルに実際に流れた電流を測定する測定手段と、前記測定された電流に基づき、他の駆動周波数域と比べて電流波形が変化している駆動周波数を検出する検出手段と、前記電流波形が変化している駆動周波数とそのときの設定された駆動電流を、原稿搬送速度の変動を発生するおそれのある駆動条件として記憶する記憶手段とを備え、前記駆動電流変更手段は、前記決定された駆動周波数と駆動電流の組み合わせが、前記記憶手段に記憶されている駆動条件に該当する場合に、稿搬送速度の変動を発生するおそれがあると判断し、前記原稿搬送時における負荷変動が生じる区間で前記決定された駆動電流を変更することを特徴としている。
【発明の効果】
【００１０】
このように読取条件に基づき決定された原稿搬送手段におけるステッピングモータの駆動周波数および駆動電流が、原稿搬送速度の変動を発生するおそれのある駆動条件である場合に、原稿搬送時における負荷変動の生じるタイミングを含む所定の区間で前記決定された駆動電流を変更することにより、原稿の搬送速度の変動を可及的に防止することができる。しかも、それ以外の駆動条件の場合には、初期設定されている駆動電流を変更する必要がないので、当該駆動電流を節電に対応した値に初期設定しておけば、ステッピングモータの過熱を防止できると共に消費電力の低減にも資する。
【発明を実施するための最良の形態】
【００１１】
以下、本発明に係る画像読取装置の実施の形態を、デジタル式カラー複写機のイメージリーダ部に適用した場合を例にして説明する。
図１は、当該デジタル式カラー複写機（以下、単に「複写機」と言う。）１０の概略構成を示す図である。
同図に示すように複写機１０は、大きく分けて、原稿画像を読み取るイメージリーダ部１２と、読み取った画像を記録シート上にプリントして再現するプリンタ部１４とから構成される。
【００１２】
イメージリーダ部１２は、固定光学系の一つであるシートスルー方式と移動光学系の一つであるスキャナ移動方式の両方で原稿画像の読取が可能なように構成されている。ここで、シートスルー方式は、光学系を静止（固定）させた状態で、原稿を移動させて読み取る方式である。スキャナ移動方式は、原稿は静止させた状態で、原稿面からの反射光をＣＣＤセンサに導くミラーを原稿に対して移動させ、原稿読取位置からＣＣＤセンサまでの光路長を常に一定に維持した状態で読み取る方式である。
【００１３】
イメージリーダ部１２は、シートスルー方式を実現するための自動原稿搬送装置１６を備えている。
自動原稿搬送装置１６は、原稿給紙トレイ１８にセットされた原稿束から原稿を１枚ずつ分離してシートスルー用プラテンガラス（以下、単に「プラテンガラス」という。）５０の上面を通過させた後、原稿排紙トレイ２２に排出するものである。
【００１４】
原稿給紙トレイ１８にセットされた原稿束（不図示）における最上位の原稿は、ピックアップローラ２４と捌きローラ２５とによって原稿束から分離され、第１中間ローラ２８を介してレジストローラ３０まで搬送される。原稿は、ここで傾き（スキュー）が補正された後、当該レジストローラ３０によってプラテンガラス５０へと搬送される。プラテンガラス５０を通過した原稿は、さらに、読取後ローラ３２および第２中間ローラ３４によって排出ローラ３６へと搬送され、当該排出ローラ３６によって、原稿排紙トレイ２２へと排出される。
【００１５】
なお、上記した各ローラは、原稿搬送モータＭ１を動力源とし、歯車ギャーやベルトなどの動力伝達機構（不図示）を介して回転駆動され、この原稿搬送モータＭ１として、高精度の回転速度の制御が可能なステッピングモータが使用される。
また、分離ローラ２５には、公知の電磁クラッチ（不図示）を介して動力が伝達される構成になっており、他のローラと独立して駆動・停止の制御が可能であって、これにより原稿搬送開始のタイミングが調整される。
【００１６】
シートスルー方式で原稿を読み取る場合には、スキャナ３８は、プラテンガラス５０下方の破線で示す位置（シートスルーポジション）に移動される。プラテンガラス５０上面を通過する原稿は、当該シートスルーポジションで静止しているスキャナ３８のランプ４０によって照射される。原稿面からの反射光は、第１ミラー４２、第２ミラー４４および第３ミラー４６により光路変更され、集光レンズ４８によってＣＣＤセンサ４９の受光面で結像される。
【００１７】
ＣＣＤセンサ４９は、原稿画像を読み取るための読取手段として機能するものであり、原稿画像の赤（Ｒ）、緑（Ｇ）、青（Ｂ）の色成分をそれぞれ読み取るため、副走査方向に所定間隔で配列された３本のＣＣＤラインセンサからなり、原稿の反射光を受光すると、Ｒ、Ｇ，Ｂの画像信号を生成して、制御部７７に送る。
この際、各色用のＣＣＤラインセンサは、設定された原稿の搬送速度に応じて、所定時間遅延してその出力が読み出されることにより、同一画素のＲ，Ｇ，Ｂの濃度データを得るように構成されている。そのため、駆動モータの回転ムラに起因して原稿の搬送速度が変動すると同一画素の色成分のデータを読み取ることができず、読取画像に色ずれが発生することになる。
【００１８】
なお、シートスルー方式において、原稿の両面を読み取るモード（両面読取モード）を実行する場合には、図１において第１面を読み取った原稿の後端がＡ点を通過した直後に搬送路切換爪３５の先端をソレノイドなどにより下方に向くように切り換えると共に、第２中間ローラ３４，排出ローラ３６の回転方向を逆転させ、原稿の後端を搬送路３７に突入させてＢ点を経由して再びプラテン５０方向に搬送することにより、原稿の表裏が反転して原稿の第２面を読み取ることができるようになっている。
【００１９】
一方、原稿を手置き用ガラス７４に載置して読み取る場合には、自動原稿搬送装置１６を上方に開放して、原稿を手置き用ガラス７４上にセットする。この場合には、スキャナ３８は、図１の矢印Ａの方向に移動される。この際、第２ミラー４４、第３ミラー４６が対となって上記スキャナ３８と同方向に、その移動速度の半分の速度で移動するようになっており、これにより原稿面から集光レンズ４８までの距離（光路長）が常に一定に保たれて、原稿の反射光は、ＣＣＤセンサ４９の受光面で結像される。なお、上記スキャナ３８および第２ミラー４４、第３ミラー４６は、スキャンモータＭ２を動力源とし、図示しない動力伝達機構を介して走行駆動される。
【００２０】
制御部７７は、上記イメージスキャナ部１２の動作を制御すると共に、ＣＣＤラインセンサ４９で読み取った画像データに所定のデータ処理を施して、画像メモリに格納し、さらに当該格納されたＲ，Ｇ，Ｂの画像データに基づいてプリンタ部１４において転写紙上に画像を形成させる。
原稿給紙トレイ１８には反射式の光電センサ１８１、１８２が設けられており、これらの検出結果に基づき制御部７７で原稿のサイズが判定されるようになっている。
【００２１】
プリンタ部１４は、上記原稿を読み取って得られた画像データにより変調駆動されたレーザダイオードにより感光体ドラムを露光走査して静電潜像を形成し、この静電潜像をトナーで現像した後、当該トナー像を用紙上に転写して画像を形成する公知の電子写真式のプリンタであり、シアン（Ｃ）、マゼンタ（Ｍ）、イエロー（Ｙ）、ブラック（Ｋ）のトナー像を転写紙上に多重転写することによりフルカラー画像を形成する。
【００２２】
なお、プリンタ部１４は、上記のような電子写真方式に限定されず、他の方式、たとえばインクジェット方式のカラープリンタなどであっても構わない。
複写機１０においてモノクロ読取モードを実行する場合には、たとえばＣＣＤラインセンサ４９Ｒのみの出力を２値化処理してブラックの画像データとする。もっとも、ブラック読取専用のＣＣＤラインセンサを上記Ｒ，Ｇ，Ｂ用のラインセンサとは別に設けても構わない。
【００２３】
複写機１０は、その上面の操作しやすい位置に操作パネル１２０（図３）を備えている。操作パネル１２０には、コピー枚数を設定するためのテンキー、コピーを開始させるためのスタートキーなどのキー群の他、原稿の読取モード、読取倍率（拡大縮小率）などの入力を受付けるための設定画面やボタンおよび用紙切れや紙詰まりなどのメッセージを表示させるための液晶表示部が配されている。
【００２４】
なお、本実施の形態に係る複写機において設定される読取モードとして、原稿の片面のみを読み取る片面読取モードと原稿の両面を読み取る両面読取モードについて説明するが、他の例えば、厚紙の原稿を読み取る厚紙原稿読取モードなどを含んでもよい。
図２は、制御部７７の構成を示すブロック図である。
同図に示すように、制御部７７は、主な構成要素としてＣＰＵ７７１、画像処理部７７２、画像メモリ７７３、ＬＤ駆動部７７４、これらの各部の制御に必要なプログラム、特に変倍処理に際してイメージリーダ部の原稿搬送モータＭ１の速度の制御や電子変倍するためのプログラムなどが格納されたＲＯＭ７７５、プログラム実行時のワークエリアとなるＲＡＭ７７６などを有する。
【００２５】
画像処理部７７２は、ＣＣＤセンサ４９からの読取データを所定のタイミングでサンプリングして、適正レベルに増幅した後、Ｒ，Ｇ，Ｂのデジタルデータに変換し、各ＣＣＤラインセンサの感度ばらつきや光学系の特性による光量ばらつき等を補正するシェーディング補正処理を施す。このシェーディング補正されたＲ，Ｇ，Ｂのデジタルデータは、それぞれ１ライン（主走査ライン）単位で、同一画素のＲ，Ｇ，Ｂの画像データが対応して出力されるように原稿の搬送速度に応じた所定時間だけ遅延して出力される。
【００２６】
その後、上記Ｒ，Ｇ，Ｂの画像データに対して、公知の黒生成（ＢＰ）、下色除去（ＵＣＲ）等の色補正処理を施し、シアン，マゼンタ，イエロー，ブラックの各再現色の濃度データを生成し、画像メモリ７７３に出力する。
画像メモリ７７３は、再現色ごとに容易されたフレームメモリに上記各色の濃度データを格納し、ＣＰＵ７７１からアドレスを指示されて読出し要求を受けると、当該アドレスに格納されている各再現色のデータをＬＤ駆動部７７４に送り、ＬＤ駆動部７７４は、このデータに基づきプリンタ部１２におけるレーザダイオードを変調駆動させ、感光体ドラム上への露光走査が実行される。
【００２７】
ＣＰＵ７７１は、ＲＯＭ７７５の制御プログラムに基づいて、イメージリーダ部１２、プリンタ部１４などの各部の動作を制御し、円滑なコピー動作を実現する。また、操作パネル１２０を介して操作者によるキー入力等を受付けると共に、必要なメッセージ等を液晶表示部に表示させる。
なお、ステッピングモータからなる原稿搬送モータＭ１は、具体的には、図３に示すように公知のモータ駆動ＩＣ７７８を介してＣＰＵ７７１により駆動制御される。
【００２８】
すなわち、ＲＯＭ７７４内部には、操作パネル１２０から入力された読取倍率に対応する回転速度で原稿搬送モータＭ１を駆動するためのパルスレート（モータの駆動周波数）の関係を示すテーブル（不図示）と、読取倍率と、原稿搬送モータＭ１に供給する駆動パルスの最高電流値（以下、単に「駆動電流」という。）との関係を示すテーブル（図４のテーブルＴ１参照）が予め格納されており、ＣＰＵ７７１は当該テーブルを参照し、φ０〜φ４の出力端子からモータ駆動ＩＣ７７８に当該パルスレートに従った励磁信号を出力すると共に、Ｄ／Ａ端子から駆動電流を決定するための基準電圧Ｖsをモータ駆動ＩＣのＶref入力端子に出力する。
【００２９】
モータ駆動ＩＣ７７８は、入力された基準電圧Ｖsに対応した駆動電流を有する駆動パルスを励磁信号と同期させてステッピングモータの各極に供給し、これにより原稿搬送モータＭ１が必要なトルクを維持しつつ、指定された読取倍率に応じた回転速度で回転駆動される。
なお、実際に原稿搬送モータＭ１に通電される電流は、抵抗Ｒ１により電圧に変換されて、ＣＰＵ７７１のＡ／Ｄ端子に入力されており、この電圧値に基づきＣＰＵ７７１は、駆動電流が所定の値に維持されるようにフィードバック制御する。
【００３０】
背景技術でも述べたように、副走査方向の読取倍率に応じて原稿搬送装置１６における原稿搬送速度が変更される。この際、ステッピングモータを駆動するためのパルスレートが変化することになるが、パルスレートが大きくなると各極に供給される駆動パルス幅が小さくなるので、回転トルクが小さくなる。そこで、通常は回転速度を上げるほど、すなわち読取倍率が低くなるほど、駆動電流を上げて一定以上のトルクを維持するようになっている。
【００３１】
図４は、読取倍率の範囲に応じて、片面読取モード時と両面読取モードのそれぞれについて設定される駆動電流の値の一例を示すテーブルＴ１であり、読取倍率の大きさに予めＲＯＭ７７５に格納されている。
同テーブルＴ１に示すように比較的読取倍率が小さな範囲ほど、駆動電流を大きく設定して、一定以上のトルクを確保できるようになっている。なお、これら駆動電流値は、ステッピングモータによる消費電力を抑えるため、各読取倍率において脱調が生じない程度の適当な大きさに設定される。理解しやすいように、図４のテーブルＴ１では、読取倍率の大きさを３段階にしか分けていないが、さらに多段階に分けてそれぞれの読取倍率の範囲において適正な駆動電流値を設定するようにしてもよい。このテーブルＴ１に設定されている各読取倍率に対応した駆動電流は、通常の原稿搬送時の基準となるべき電流値なので、後に述べる変更駆動電流と区別するため、以下では「基準駆動電流」と呼ぶことにする。
【００３２】
なお、テーブルＴ１において、両面読取モードの方が、片面読取モードよりも基準駆動電流値が大きく設定されているのは、両面読取モードの方が、給紙路が複雑で、多くの駆動ローラに挟まれた状態で原稿が搬送されるため、原稿搬送モータにより大きな回転トルクが必要とされるからである。
上述のように脱調しない程度のトルクの余裕を有して基準駆動電流を設定しているにもかかわらず、特定の読取倍率に関して、特定のタイミング、具体的には原稿の先端が、読取後ローラ３２のニップ部に突入するタイミングと原稿の後端が、分離ローラ２５のニップ部から離脱するタイミングにおいて、大きな速度変動が発生し、読取画像が劣化することが判明した。
【００３３】
図５は、片面読取モード実行時において読取倍率が０．６８倍に設定されているときの、原稿の搬送開始からの経過時間と、そのときに発生する原稿搬送モータＭ１の回転ムラの大きさとの関係を概略的に示すグラフである。
同図において、横軸は、原稿トレイ１８に載置された原稿の搬送開始からの経過時間ｔ（ｓ）を示しており、縦軸には、回転ムラの程度を表す量として、当該パルスレートにおける平均の回転速度Ｍと、当該平均の回転速度Ｍからの速度変動分の標準偏差σとの比がパーセンテージで示されている。
【００３４】
図５のグラフに示すように、原稿先端部が読取後ローラ３２のニップ部に突入した時刻ｔ１と、原稿の後端部が分離ローラ２５のニップ部から離脱した時刻ｔ２において大きな回転ムラが発生している。
本願発明者の実験によれば、モノクロモードおいては、回転ムラが約２．５０％を超えると画質の劣化が許容範囲を超えたが、カラーモードにおいては、それよりも小さな回転ムラでも色ずれが目立ち、その画質の劣化が許容範囲を超えることが判明した。図５では、タイミングｔ１、ｔ２で生じた回転ムラのピークが１．０％を大きく超えるため、これが許容範囲を逸脱した画像劣化を惹起したものである。
【００３５】
しかし、このような原稿搬送時の特定のタイミングにおける画像劣化は、全ての読取倍率に対して生じるのではなく、特定の読取倍率についてのみ生じることが判明しており、その理由は次に述べる事実によるものと考えられる。
すなわち、ステッピングモータの一般的な特性として、供給される駆動電流ごとに特定の駆動周波数（パルスレート）において回転ムラが生じやすくなっている。図６は、駆動電流が２．０Ａに設定された場合におけるパルスレートと回転ムラの大きさとの関係を示す図である。同図に示すようにパルスレートが一定の範囲（ａ２．０〜ｂ２．０）の範囲において回転ムラが大きくなっている（以下、このように回転ムラが大きくなるパルスレートの範囲を「速度変動範囲」という。）。この速度変動範囲は、ステッピングモータの種類や仕様によって異なるが、本実施の形態においては、ｐ２．０が約１００００ｐｐｓ、ｑ２．０が約１１５００ｐｐｓであった。
【００３６】
このような特定の速度変動範囲において回転ムラが大きくなる原因は次のように考えられる。つまり、ステッピングモータの特有の振動としてローラが１ステップ角の回転するごとに生じる、いわゆるステップ振動があるが、このステップ振動の大きさは、駆動電流の大きさと駆動周波数に依存しており、そしてこれらが特定の条件を満たすときに一種の共鳴現象を起こすと共に、ステータコイルに流れる電流波形が不安定になって、比較的大きな回転ムラを惹起するからであると考えられる（以下、この回転ムラが発生するときの駆動電流と駆動周波数の条件を「回転ムラ発生条件」という。）。
【００３７】
なお、ステッピングモータにおけるごく微小な回転ムラは、どのような駆動条件でも生じており、本発明で問題としている回転ムラは、負荷変動と相まって読取画像に許容範囲を超える影響を及ぼす回転ムラであって、具体的には、負荷変動がない場合において、σ／Ｍの値が１．０パーセントを超えるものを考えている。
上述のように速度変倍において読取倍率を変化させるべく駆動周波数を変えると、当該設定された駆動電流と駆動周波数の組み合わせが、上記回転ムラ発生条件を満たす範囲もしくはそれに近い範囲になる場合がある。このステッピングモータの駆動条件が上記回転ムラ発生条件を満たすだけでは、画像劣化までには至らないが、これに外的な負荷変動の要因が加わって画像劣化を惹起するものと考えられる。
【００３８】
図７は、１周期分の矩形状の駆動パルスをステッピングモータに供給したときのステータコイルを流れる電流の変化を示す概略図である。実線が通常の原稿搬送時の電流波形であり、破線は、駆動上演が回転ムラ発生条件に該当した電流波形が不安定になった状態を示す想像図である。
この図に示すように回転ムラが発生しやすい駆動条件下では、電流の立ち上がりが鈍くなり、ステッピングモータのトルクが低下するものと考えられるが、このような状態で、原稿搬送時に外的な負荷変動が加わると（特に、上記の読取後ローラ突入時と分離ローラ離脱時）、モータの回転がさらに不安定になり、図５のタイミングｔ１、ｔ２において画像劣化を惹起するほど大きな回転ムラが発生してしまうと考えられるのである。
【００３９】
そこで、本実施の形態においては、予め図４のテーブルＴ１に定める駆動電流値ごとに速度変動範囲を求め、当該駆動電流と、それに対応する速度変動範囲（以下、「回転ムラ発生条件」という。）を示すテーブルＴ２（図８）をＲＯＭ７７５内に格納しておき、原稿読取時の副走査方向の読取倍率が、上記回転ムラ発生条件を満たすような場合には、原稿搬送時の負荷変動が生じるタイミングを含む所定の区間で駆動電流を増加させて、テーブルＴ２の変更駆動電流値に変更することにより、回転トルクを上げると共に上記回転ムラ発生条件から脱するように制御している。なお、同テーブルＴ２において、例えば、ａ１．０、ｂ１．０は、それぞれ駆動電流が１．０Ａであるときの速度変動範囲の下限と上限をパルスレートで示すものである。これらの具体的な数値は、採用するステッピングモータの仕様やメーカーによって異なるので、本実施の形態では、記号による一般的な形で示している。また、変更駆動電流値は、初期設定駆動電流値よりも大きくて、しかもその変更駆動電流に対応する速度変動範囲が、基準駆動電流における速度変動範囲と異なる電流値が設定される。
【００４０】
図９は、片面読取モードが選択されている場合における制御部７７で実施される駆動電流設定処理の内容を示すフローチャートである。  
このフローチャートは、複写機１０の全体の制御動作を示すメインルーチン（不図示）において、例えば、操作パネル１２０により片面読取モードが設定された後にスタートキーが押下されたときにサブルーチンとして実行されるものである。
【００４１】
まず、ステップＳ１０１において、ＣＰＵ７７１は、現在設定されている読取倍率を取得する。ユーザが操作パネル１２０から入力した読取倍率の値が、ＲＡＭ７７６に一時格納されるようになっており、ＣＰＵ７７１がこの情報を読み取ることにより読取倍率が取得される。  
なお、自動変倍機能（ＡＭＳ）を有する複写機にあっては、出力すべき用紙サイズを入力すれば、この指定された用紙サイズと、上述の原稿検出センサ１８１、１８２の検出結果により制御部７７で判定された原稿サイズとを比較して自動的に読取倍率が決定しうるので、この場合にはユーザによる読取倍率の入力は不要となる。
【００４２】
次に、現在設定されている読取モードの情報を取得する（ステップＳ１０２）。この情報も、ユーザが操作パネル１２０から入力し、その設定内容がＲＡＭ７７６に一時的に格納されており、これを参照することにより容易に入手できる。上述したように本例においては、この読取モードとして片面読取モードが設定されている。
そして、上記取得した読取倍率と読取モードに基づき原稿搬送モータＭ１の駆動条件を取得する（ステップＳ１０３）。すなわち、読取倍率と駆動周波数（パルスレート）の関係が不図示のテーブルに格納されており、このテーブルを参照して原稿搬送モータＭ１を駆動すべき駆動周波数を取得すると共に、読取倍率と読取モードに基づき、図４のテーブルＴ１を参照して設定すべき駆動電流値（基準駆動電流値）を取得する。
【００４３】
なお、駆動周波数とステッピングモータの回転数は比例関係にあるので、テーブルによらず所定の演算式に基づいて読取倍率から駆動周波数を求めることも可能である。
そして、原稿トレイ１８上の原稿を送り出して原稿の搬送動作を開始する（ステップＳ１０４）。その際、まず、駆動条件（基準駆動電流値およびパルスレート）が、回転ムラ発生条件を満たすか否かを、図８のテーブルＴ２を参照して判定する（ステップＳ１０５）。
【００４４】
ここで、駆動条件が回転ムラ発生条件に該当しなければ（ステップＳ１０５：ＮＯ）、搬送速度が変動する可能性がないので、ステップＳ１０４で取得された基準駆動電流をそのまま駆動電流として設定する（ステップＳ１０９）。
反対に、駆動条件が回転ムラ発生条件に該当していれば（ステップＳ１０５：ＹＥＳ）、原稿の搬送状態が、負荷変動を発生するおそれのある状態にあるか否かを判断しながら駆動電流を設定する。
【００４５】
すなわち、原稿の先端が、読取後ローラ３２のニップ部に突入するタイミングを含む所定の区間（読取後ローラ突入区間）にある状態か（ステップＳ１０６）、または、原稿の後端が分離ローラ２５のニップ部から離脱するタイミングを含む所定の区間（分離ローラ離脱区間）である状態であるかを判定し（ステップＳ１０７）、そのどちらの区間でもない場合（ステップＳ１０６：ＮＯ、ステップＳ１０７：ＮＯ）には、もし回転ムラが発生したとしても許容範囲内のものと考えられるので、特に駆動電流を変更する必要はなくテーブルＴ１に基づく基準駆動電流値を駆動電流として設定する（ステップＳ１０９）。
【００４６】
一方、原稿の先端が、読取後ローラ突入区間か、あるいは、原稿の後端が分離ローラ離脱区間のいずれかにある場合には（ステップＳ１０６：ＹＥＳ、またはステップＳ１０６：ＮＯおよびステップＳ１０７：ＹＥＳ）、原稿の搬送速度に変動が生じて読取画質が劣化するおそれがあるので、図８のテーブルＴ２から上記基準駆動電流に対応する変更駆動電流を読み出して、これを駆動電流として設定し、駆動条件が回転ムラ発生条件に該当しないように制御する（ステップＳ１１１）。（以下、「読取後ローラ突入区間」と「分離ローラ離脱区間」を「負荷変動発生区間」と総称する。）。
【００４７】
なお、搬送中の原稿が上記「負荷変動発生区間」にあるか否かの判断（ステップＳ１０６、Ｓ１０７）は、例えば次のようにして検出することができる。すなわち、原稿トレイ１８における原稿サイズ検出センサ１８１、１８２により原稿のサイズがあらかじめ理解できるので、原稿を当該原稿トレイ１８から送り出してからの原稿搬送モータＭ１の駆動パルス数をカウントし、このカウント数が、原稿サイズごとにあらかじめ設定された、上記読取後ローラ突入区間および分離ローラ離脱区間のそれぞれに該当するパルス数の上限と下限の範囲内であるか否かによって、上記ステップＳ１０８、ステップＳ１０９の判断をすることができる。また、特定のローラのニップ部付近に原稿の通過を検出するため光電センサなどの用紙検出手段を配設して、この検出位置を原稿が通過した後のパルス数あるいは経過時間に基づき、原稿の搬送状態を把握することも可能であろう。  
【００４８】
次のステップＳ１１０で、原稿の搬送開始から所定時間経過したか否かを判定し、所定時間が経過していなければ（ステップＳ１１０：ＮＯ）、ステップＳ１０５に戻って上記ステップＳ１０９までの処理を繰り返す。所定時間が経過しておれば、原稿トレイ１８上に次の原稿がまだあるか否かを確認し（ステップＳ１１０：ＹＥＳ、ステップＳ１１１）、次の原稿があれば、ステップＳ１０４に戻って、当該原稿の搬送を開始し、以下ステップＳ１０５〜Ｓ１１０までの駆動電流設定処理を実行する。原稿トレイ１８上の原稿の有無は、例えばセンサ１８２の出力により判定できる。
【００４９】
なお、ステップＳ１１０における「所定時間」は、前の原稿と次の原稿の用紙間隔が所定の大きさになるよう原稿サイズごとに予めＲＯＭなどに格納されている。もっとも時間の代わりに原稿搬送モータＭ１の搬送開始からの駆動パルス数をカウントし、所定パルス数となったか否かについて判定するようにしてもよい。また、分離ローラ２５の下流側に光電センサなどの用紙検出手段を配置しておき、これによって先の原稿の後端を検出してから所定時間経過後、あるいは所定パルス数のカウント後に次の原稿を搬送するようにしても構わない。
【００５０】
そして、原稿トレイ１８上に原稿がなくなれば（ステップＳ１１１：ＹＥＳ）、
これらの処理を終了し不図示のメインルーチンに戻る。
メインルーチンにおいては、上記フローチャートと並行して、当該決定された駆動電流値に基づき原稿搬送モータＭ１を駆動して原稿を搬送し、ＣＣＤセンサ４９で画像を読み取る読取処理が実行される。
【００５１】
なお、両面読取モードが選択されている場合には、上記フローチャートにおいて、原稿を反転させて再度読取位置まで搬送する動作が追加され、原稿の両面を読み取るまで次の原稿を待機させる必要があるため、ステップＳ１１０における「所定時間」も長くなるよう変更されるが、駆動電流の設定処理としては、基本的に上記フローチャートと同じであるので、説明を省略する。  
【００５２】
図１０、図１１は、それぞれ１枚の原稿を搬送する際の等倍時と特定の縮小倍率時における駆動電流の設定状態を示す概略図である。
本実施の形態では、例えば、片面読取モードで等倍率時においては、テーブルＴ１により駆動電流が、１．５Ａに設定されるが、この際には回転ムラ発生条件に該当しないようになっており、図１０に示すようにタイミングｔ１、ｔ２においても駆動電流を変更する必要はなく１．５Ａで一定に保たれる。しかし、同じ片面モードでも倍率が、例えば０．６８１倍のときに、その駆動条件が回転ムラ発生条件に該当するとすれば、図１１の実線で示すようにタイミングｔ１、ｔ２を含む所定区間ｗ１、ｗ２（負荷変動発生区間）において、駆動電流が「３．０Ａ」に変更される。この区間は、それぞれ、タイミングｔ１、ｔ２を含む所定範囲に設定される。
このように負荷変動発生区間としてある程度の幅があるのは、各ローラのニップ部は搬送方向に一定の幅があり、また、原稿の搬送ずれなどの諸事情を考慮して一定の安全率を設ける必要があるからである。
【００５３】
なお、両面読取モード実行時において、この負荷変動発生区間の幅は上記片面モード実行時の幅よりも大きく設定する方が望ましい。両面読取モード実行時の方が、原稿の搬送路が複雑で負荷変動の影響力が大きいと考えられるからである。図１１の破線部は、両面読取モード時の駆動電流変更の一例として、読取倍率が、０．７２２倍に設定されている場合に回転ムラ発生条件に該当した場合の駆動電流の設定値の変化を示すものである。同図に示すように当該駆動条件で設定される基準駆動電流値２．５Ａであり、変更駆動電流値３．５Ａが適用されるべき負荷変動発生区間ｗ３、ｗ４の幅は、上記ｗ１、ｗ２よりも若干広めに設定されている（図１１では、分かりやすいように各区間の幅をやや誇張して示している。）。
【００５４】
ここで、負荷変動発生区間の具体的な設定幅は、実験などにより画質に劣化が許容範囲内にあるように適当に設定されるが、節電のためには狭い方が望ましいのはいうまでもなく、等倍時における搬送速度において、タイミングｔ１、ｔ２を挟んで、例えば±０．１秒〜０．３秒程度に相当する幅に設定される。また、図１１では、タイミングｔ１、ｔ２が丁度中間位置にくるように負荷変動発生区間ｗ１〜ｗ４を設定しているが、必ずしもその必要はない。
【００５５】
（変形例）
以上、本発明を実施の形態に基づいて説明してきたが、本発明は、上述の実施の形態に限定されないのは勿論であり、以下のような変形例が考えられる。
（１）上記実施の形態においては、原稿搬送時に負荷変動が生じるタイミングとして、原稿の前端が読取後ローラ突入するタイミングと、原稿の後端が分離ローラを離脱するタイミングについてのみ上げたが、原稿搬送装置の駆動機構、搬送路長などの条件によっては、別のタイミングにおいて読取画像の劣化を惹起する負荷変動が生じる場合があるので、当該原稿搬送装置の種類に応じ、原稿の搬送状態が当該負荷変動のタイミングを含む所定区間にあるか否かを検出し、このときの駆動条件が回転ムラ発生条件を満たすときに、その間の駆動電流を変更するように制御すればよい。
【００５６】
（２）上記実施の形態においては、基準駆動電流値は、通常脱調が生じない程度のトルクの余裕を持たしつつ、消費電力が大きくならない最低の値に設定しているので、負荷変動発生区間における電流値（テーブルＴ２の変更駆動電流値）はそれよりも大きい値で、かつ、回転ムラ発生条件に該当しない範囲で最低の値に設定されるのが望ましい。もっとも、トルクにある程度余裕があるように基準駆動電流値が設定されている場合や、負荷が急激に小さくなるような負荷変動が生じる場合には変更駆動電流値を基準駆動電流値よりも小さく変更する可能性もあり得る。
【００５７】
（３）上記実施の形態においては、取得された読取モード・読取倍率から初期の駆動条件を基準駆動電流値に設定し、この駆動条件が回転ムラ発生条件に該当するか満たすか否かを判定した上で負荷変動発生区間における駆動電流を変更するようにしたが、駆動条件ごとにあらかじめ設定駆動電流のルックアップテーブル（ＬＵＴ）（例えば、図１０、図１１に示すような駆動電流の変化をＬＵＴ化したもの）をＲＯＭ内に格納しておき、このＬＵＴを参照しながら駆動電流を制御するようにしてもよい。この場合には図９におけるステップＳ１０４の判定ステップは、不要であり、これに代えて当該駆動条件に対応するＬＵＴの選択ステップが挿入される。
【００５８】
（４）上記実施の形態においては、原稿の読取モードとして片面読取モードと両面読取モードを考えたが、その他普通紙原稿読取モード・厚紙原稿読取モードなどの読取モードも加えてもよく、読取モードごとに、そのモードを実行するのに最適な基準駆動電流値が設定され、その基準駆動電流値ごとに回転ムラ発生条件および変更駆動電流値がそれぞれ予め求められてテーブルに格納される。
【００５９】
（５）なお、上記実施の形態において設定されている駆動電流の値はあくまでも一例であって、具体的な値は、使用するステッピングモータの仕様、駆動方法などによって、実験的に求められるものである。
（６）また、上記実施の形態では、予め使用するステッピングモータについて、その回転ムラ発生条件に関するテーブルＴ１を作成して、これをＲＯＭ７７５内に格納するようにしていたが、次のような方法によって複写機１０において回転ムラ発生条件に関する簡易なテーブルを自動的に作成することもできる。
【００６０】
すなわち、上述したようにステッピングモータの駆動条件が、速度変動範囲を含む場合には、図７に示すように実際にステッピングモータのコイルに流れる駆動電流が実線から破線に示すように変化していると考えられる（以下、実際にステッピングモータのコイルを流れる電流を、「実電流」と呼び、供給する駆動パルスの設定された駆動電流値と区別する。）。
【００６１】
そこで、本変形例では、当該実電流をモニターして、その電流波形の変化の程度が所定以上なったと判断されるときに回転ムラ発生条件に該当していると推定して、回転ムラ発生条件のテーブルを作成するものである。
図１２は、本変形例において制御部７７で実行される回転ムラ発生条件のテーブル作成動作の一例を示すフローチャートであり、例えばユーザが、操作パネル１２０から所定の指示を入力することによって開始される。
【００６２】
なお、本変形例においても、読取モードとして片面読取モードと両面読取モードが用意され、読取倍率は０．５倍から４倍まで設定可能であり、その読取倍率に応じて、図４のテーブルＴ１に示す基準駆動電流が設定されるものとする。
制御部７７は、まず、読取モードを片面読取モードに設定すると共に、駆動電流を１Ａに設定する（ステップＳ２０１．Ｓ２０２）。そして原稿搬送モータＭ１の駆動を開始するが、この際、駆動周波数を当該読取モードにおいて設定された駆動電流に対応する読取倍率の範囲内で変化させながら、各駆動周波数における実電流を検出していく。現段階では、駆動電流が１Ａであり、その対応する変倍範囲は２．０倍〜４．０倍（図４のテーブルＴ１参照）であり、この倍率に相当する範囲内で駆動周波数を変化させる。なお、駆動周波数を変化させる単位は、１ｐｐｓでなくてもよく、例えば１００ｐｐｓ単位で変化させれば、検出時間を短縮できる。
【００６３】
この際、例えば同じ周波数の駆動パルスを１０パルスを送るごとに駆動周波数を変化させていき、それぞれの同じ駆動パルスの例えば丁度中間の位置で実電流の値をサンプリングし、駆動周波数の同じもののサンプリング値の平均値を取って、当該駆動周波数における検出値とすれば、検出の精度が向上する。
このように検出された実電流に基づき、電流波形が他と異なる駆動周波数の有無を判定する（ステップＳ２０５）。
【００６４】
具体的に、例えば上記各駆動周波数において検出された実電流値をさらに平均し、この平均値より所定量以上（具体的には、要求される読取画像の精度に応じて、実験により求められるが、例えば、設定された駆動電流の２０％以上）検出実電流が変化（低下）した場合に、電流波形が変化していると判断する。図７に示すように駆動パルスの中間位置における実電流値にある程度の差があれば、電流波形が異ると言えるからである。
【００６５】
そして、このような電流波形の変化が生じた場合には、回転ムラ発生条件に該当するとして、このときの駆動条件（駆動電流と駆動周波数）を不図示の不揮発性メモリに記憶する（ステップＳ２０５：ＹＥＳ、ステップＳ２０６）。
他と異なる電流波形がなければ、ステップＳ２０６をスキップする。
次に現在設定されている読取モードが両面読取モードか否かを判定し、両面読取モードでなければ（すなわち片面読取モードであれば）、Ｈ＝２Ａに設定し、駆動電流がＨ（２Ａ）であるかを判断し（ステップＳ２０７：ＮＯ、ステップＳ２０８、Ｓ２１０）、そうでなければ、設定駆動電流を０．５Ａ増加させてから（ステップＳ２１０：ＮＯ、ステップＳ２１１）、ステップＳ２０３に戻って、以下ステップＳ２０６までの検出動作を繰り返し、ステップＳ２１０において、駆動電流がＨ（２Ａ）になった場合には、今度は読取モードを両面読取モードに設定すると共に、駆動電流を２Ａに設定して（ステップＳ２１２：ＮＯ、ステップＳ２１３、Ｓ２１４）、ステップＳ２０３からステップＳ２１０の動作を繰り返して、両面読取モードにおける回転ムラ発生条件を検出する。
【００６６】
以上のようにして、片面読取モードについては１Ａ〜２Ａ，両面読取モードについては２Ａ〜３Ａに駆動電流を変化させ、それぞれの駆動電流において取り得る駆動周波数だけ変化させて、回転ムラ発生条件に該当する駆動条件が取得されたことになるので、これらの情報に基づき、図８のテーブルＴ２と同様な回転ムラ発生条件のテーブルを作成する（ステップＳ２１５）。
【００６７】
すなわち、回転ムラが発生した駆動条件のうち、駆動電流が同じものについての駆動周波数のデータに収集する。図６に示すように速度変動範囲は周波数が連続しているので、例えば、駆動周波数を２００ｐｐｓずつ変化させていった場合に、基準駆動電流が２Ａであるとき、パルスレートが、１０２００ｐｐｓ、１０４００ｐｐｓ、１０６００ｐｐｓ、１０８００ｐｐｓの際に実電流値が基準駆動電流値に達しなかった場合には、２Ａ時における速度変動範囲は、少なくとも１０２００ｐｐｓ〜１０８００ｐｐｓと推定することができる。実際には、安全率を考慮して、当該求められた速度変動範囲に対して若干広めの範囲を速度変動範囲と定めてもよい。これらの処理を各駆動電流値について行って、図８と同様な回転ムラ発生条件のテーブルを作成することができる。この際、変更駆動電流は、基準駆動電流より１Ａ程度高い値が機械的に設定される。経験的に駆動電流を１Ａ増加すれば、速度変動範囲がその基準駆動電流における速度変動範囲と重なることはないからである。もっとも、この変更駆動電流値は、その基準駆動電流における速度変動範囲と重ならなければ、他の適当な値でも構わない。
【００６８】
上記のようにして作成されたテーブルを利用して、図９の駆動電流設定処理のステップＳ１０５の判断が実行される。
なお、図１２のフローチャートにおいては、片面読取モードと両面読取モードに分けてそれぞれの駆動電流について変倍可能な範囲で駆動周波数を変化させて回転ムラ発生条件を検出したが、これを区別せず１Ａ〜３Ａの全ての駆動電流について、駆動周波数を０．５倍〜４倍に対応する範囲内で変化させるようにしても求めることができる。
（７）駆動電流の制御は、定電流制御により電流そのものを制御する場合のほか、印加する電圧を制御する場合も含められるものであり、「駆動電流を変更する」とは、採用する駆動回路によって直接駆動電流を変更する場合と印加電圧を変更する場合が考えられる。
（８）上記実施の形態では、本発明の像読取装置を複写機に適用した場合の例を説明したが、スキャナ、ファクシミリ装置、ＭＦＰ（Multiple Function Peripheral）等のカラーの原稿画像を読み取ることが可能なシートスルー方式の画像読取装置一般に適用できる。
【産業上の利用可能性】
【００６９】
本発明は、ステッピングモータを駆動源とする原稿搬送装置を備えたシートスルー方式の画像読取装置に広く適用することができる。
【図面の簡単な説明】
【００７０】
【図１】本発明の実施の形態にかかるデジタル式カラー複写機１０の概略構成を示す図である。
【図２】複写機１０の制御部７７の構成を示すブロック図である。
【図３】原稿搬送モータＭ１の駆動回路の構成を示すブロック図である。
【図４】読取倍率に応じて予め設定される駆動電流の値を片面読取モード、両面読取モードごとに示すテーブルである。
【図５】特定の駆動条件で原稿を搬送する場合における回転ムラが発生するタイミングを示す模式的に示すグラフである。
【図６】駆動電流が２．０Ａ時における回転ムラが大きくなる駆動周波数の範囲（速度変動範囲）の一例を示すグラフである。
【図７】ステッピングモータのコイルに流れる電流の変化を示す概略図である。
【図８】駆動電流ごとに求められた速度変動範囲と、このときに変更すべき変更駆動電流値を示すテーブルである。
【図９】制御部で実行される駆動電流設定処理の内容を示すフローチャートである。
【図１０】片面読取モードで読取倍率が１倍の場合における駆動電流値の変化を示すグラフである。
【図１１】片面読取モードで読取倍率が０．６８１倍の場合および両面読取モードで読取倍率が０．７２２倍の場合における駆動電流値の変化を示すグラフである。
【図１２】変形例における回転ムラ条件テーブル作成処理の内容を示すフローチャートである。
【符号の説明】
【００７１】
１２      イメージリーダ部
１４      プリンタ部
１６      原稿搬送装置      
４９      ＣＣＤセンサ
７７      制御部
１２０      操作パネル
７７１      ＣＰＵ
７７２      画像処理部
７７３      画像メモリ部
７７４      ＬＤ駆動部
７７５      ＲＯＭ
７７６      ＲＡＭ
Ｍ１        原稿搬送モータ
Ｍ２        スキャナモータ
【図１】
2006282329.tif 000003
【図２】
2006282329.tif 000004
【図３】
2006282329.tif 000005
【図４】
2006282329.tif 000006
【図５】
2006282329.tif 000007
【図６】
2006282329.tif 000008
【図７】
2006282329.tif 000009
【図８】
2006282329.tif 000010
【図９】
2006282329.tif 000011
【図１０】
2006282329.tif 000012
【図１１】
2006282329.tif 000013
【図１２】
2006282329.tif 000014